(57)【要約】【課題】  任意の破砕部を個々に短時間に交換でき、整備性の良い木材破砕機を提供する。【解決手段】  木材破砕機(10)の回転式破砕体(20)の、回転ドラム(21)の外周部に複数個の破砕部取付座(22)を設け、該破砕部取付座(22)に、被破砕木材を破砕する破砕部(30)をそれぞれ着脱自在に取付ける。破砕部(30)は、前記破砕部取付座(22)にボルト(50,51)により締着され、前記回転ドラム(21)の回転方向側の前記ボルト(50)は、該ボルト頭部を前記破砕部(30)に設けた保護部(37)により保護されている。前記破砕部取付座(22)と前記破砕部(30)とは、回転方向に互いに当接する当接部(23,23a,36,36a)を備える。【選択図】        図２
2005087916.tif 000002
【特許請求の範囲】
【請求項１】
木材破砕機において、
外周部に木材を破砕するための複数個の破砕部(30)を有する回転式破砕体(20)を備え、
前記回転式破砕体(20)は、前記破砕部(30)をそれぞれ個別に着脱自在に取付けた
ことを特徴とする木材破砕機。
【請求項２】
請求項１記載の木材破砕機において、
前記回転式破砕体(20)の回転軸を回転ドラム(21)で構成し、
前記破砕部(30)は、前記回転ドラム(21)の外周部に設けた破砕部取付座(22)にボルト(50,51)により締着され、
前記回転ドラム(21)の回転方向側の前記ボルト(50)は、該ボルト頭部を前記破砕部(30)に設けた保護部(37)により保護されている
ことを特徴とする木材破砕機。
【請求項３】
請求項２に記載の木材破砕機において、
前記破砕部取付座(22)と前記破砕部(30)とは、回転方向に互いに当接する当接部(23,23a,36,36a)を備えた
ことを特徴とする木材破砕機。
【請求項４】
請求項２又は３に記載の木材破砕機において、
前記破砕部(30)の回転方向側前端下部は、前記回転ドラム(21)と前記破砕部取付座(22)とを固着する固着部(24)を覆っている
ことを特徴とする木材破砕機。
【請求項５】
請求項２，３又は４に記載の木材破砕機において、
前記破砕部(30)の、前記回転ドラム(21)の軸方向の幅は、前記回転ドラム(21)と前記破砕部取付座(22)とを固着する固着部(25)の外幅と略同等以上である
ことを特徴とする木材破砕機。
【請求項６】
請求項１〜５のいずれか一項に記載の木材破砕機において、
前記破砕部(30)の回転方向部位(35)は硬化処理されている
ことを特徴とする木材破砕機。
【発明の詳細な説明】
【技術分野】
【０００１】
本発明は、木材を破砕して処理する木材破砕機に関する。
【背景技術】
【０００２】
従来、回転式の木材破砕機については、例えば特許文献１に記載された木材破砕機が知られている。
【０００３】
図７は特許文献１に記載された木材破砕機の概略側面図であり、図８は同木材破砕機の概略正面一部断面図である。図７、図８において、木材破砕機７０は回転式破砕体８０を収納するケース７１を備え、該ケース７１には回転式破砕体８０の軸８１の両端部が、図示しない軸受により回転自在に支持されている。軸８１には複数個のリング体８２が所定の間隔で溶着されている。複数個のリング体８２の外周部には軸８１の長手方向に貫通する６本の軸体８５が取付けられ、軸体８５の軸方向の両端部には図示しない抜け止めが設けられている。隣接するリング体８２の間の、外周部の所定の位置には、先端部にビット８３を有する複数個のハンマ８４が挿入され、それぞれ隣接する２本の前記軸体８５によってリング体８２に串刺し状に取付けられている。ケース７１には、所定大きさの、複数個の排出穴７３を備えた、上部に開口部７４を有する略筒状のスクリーン板７２が取付けられており、このスクリーン板７２は回転式破砕体８０の外周部を前記ビット８３から所定の隙間をもって覆っている。なお、図７はスクリーン板７２を一部破断して示している。
【０００４】
木材を破砕するときは、図７に示すように、被破砕物である木材９０を上方から投入し、回転式破砕体８０を回転させてビット８３で破砕する。この後、所定の大きさのチップ状に破砕された製品としての木材９１は、スクリーン板７２の排出穴７３から下方に排出される。
【０００５】
【特許文献１】特開２００２−１９２０００号公報（第３頁、第３図、第４図）
【発明の開示】
【発明が解決しようとする課題】
【０００６】
しかしながら、上記の従来技術においては、複数個のハンマ８４を長い軸体８５で串刺し状にして取付けているため、軸体８５の錆付き、木屑及びチップの詰まり、又は過大外力による軸体８５の曲がり等により軸体８５を複数個のリング体８２から抜き取るのが非常に困難な場合がある。したがって、消耗品であるハンマ８４の交換作業が困難で、多大の時間を要する。また、軸方向中間部の１個のハンマ８４のみを交換する場合でも、その端部の複数個のハンマ８４が同時に外れてしまい、交換作業に無駄が多く、余分な時間がかかると言う問題がある。
【０００７】
本発明は上記の問題点に着目してなされたもので、任意のハンマの交換を容易に短時間で行うことができ、整備性の良い木材破砕機を提供することを目的としている。
【課題を解決するための手段】
【０００８】
上記目的を達成するために、第１発明は、木材破砕機において、外周部に木材を破砕するための複数個の破砕部を有する回転式破砕体を備え、前記回転式破砕体は、前記破砕部をそれぞれ個別に着脱自在に取付けた構成としている。
【０００９】
第２発明は、第１発明において、前記回転式破砕体の回転軸を回転ドラムで構成し、前記破砕部は、前記回転ドラムの外周部に設けた破砕部取付座にボルトにより締着され、前記回転ドラムの回転方向側の前記ボルトは、該ボルト頭部を前記破砕部に設けた保護部により保護されている構成としている。
【００１０】
第３発明は、第２発明において、前記破砕部取付座と前記破砕部とは、回転方向に互いに当接する当接部を備えた構成としている。
【００１１】
第４発明は、第２又は第３発明において、前記破砕部の回転方向側前端下部は、前記回転ドラムと前記破砕部取付座とを固着する固着部を覆っている構成としている。
【００１２】
第５発明は、第２、第３、又は第４発明において、前記破砕部の、前記回転ドラムの軸方向の幅は、前記回転ドラムと前記破砕部取付座とを固着する固着部の外幅と略同等以上である構成としている。
【００１３】
第６発明は、第１〜第５発明のいずれか１つにおいて、前記破砕部の回転方向部位は硬化処理されている構成としている。
【発明の効果】
【００１４】
第１発明によると、木材破砕機の回転式破砕体は、複数個の破砕部をそれぞれ個別に着脱自在に取付けている。そのため、消耗部品である破砕部を単独で交換でき、交換したい破砕部のみを交換することにより、短時間で整備可能であり、メインテナンスコストも安い。また、構造が簡単で損傷要素が少なく信頼性、耐久性を向上出来ると共に、コストも安くできる。特に木材破砕機で建物廃棄木材等を破砕する場合は、土台等に使用されているコンクリート、木材の連接に使用されている釘等の鉄物が混入し、破砕部が部分損傷することが多いので有効である。
【００１５】
第２発明によると、破砕部を破砕部取付座にボルトにより締着し、該ボルト頭部の回転方向側を前記破砕部に設けた保護部により保護されている。そのため、作業時に前記ボルト頭部が被破砕木材等に当って磨耗又は損傷する恐れは少なく、よって耐久性が向上すると共に、破砕部の着脱作業を常に容易に行うことができ、整備性を向上できる。
【００１６】
第３発明によると、破砕部取付座と破砕部とに、回転方向に対し互いに当接する当接部を設けた。そのため、作業時に破砕部に加わる外力は、破砕部を破砕部取付座に締着するボルトを経ずに直接破砕部取付座を介して回転ドラムに加わる。従って、ボルトの弛み及び損傷の恐れが少なく、信頼性、耐久性を向上できる。
【００１７】
第４発明によると、回転ドラムと破砕部取付座との固着部の回転方向側を、破砕部の回転方向側前端下部により覆っている。そのため、作業中に前記破砕部取付座の固着部の回転方向側が被破砕木材等に当って磨耗し又は損傷する恐れが少なく、信頼性、耐久性を向上できる。
【００１８】
第５発明によると、破砕部の、回転ドラムの軸方向の幅を、前記回転ドラムと破砕部取付座との固着部の外幅と略同等以上にしている。そのため、作業中に前記破砕部取付座の、前記回転ドラムの軸方向の固着部が被破砕木材等に直接当って磨耗、損傷する恐れが少なく、信頼性、耐久性を向上できる。
【００１９】
第６発明によると、破砕部の回転方向部位を硬化処理している。そのため、破砕部の耐磨耗性が向上し、信頼性、耐久性を向上できる。
【発明を実施するための最良の形態】
【００２０】
以下、本発明に係る木材破砕機の実施形態について図面を参照して説明する。
【００２１】
図１は、本実施形態に係る自走式木材破砕装置１の全体斜視図である。図１において、クローラ式走行装置２を有する機台３の走行方向いずれか一側の部位には、木材を破砕する破砕装置４が搭載されている。破砕装置４は、被破砕木材を投入するホッパ５と、ホッパ５の下方に水平回転自在に配設され、前記投入された木材を貯溜し下記木材破砕機１０に供給する回転タブ６と、回転タブ６の下方に設けられた木材破砕機１０とを備えている。また、機台３の走行方向いずれか他側の部位にはエンジン等を含む動力源７が搭載されており、木材破砕機１０の下方から前記動力源７の下方を経由して機台３より走行方向外方に向けて製品を搬出する排出コンベヤ８が配置されている。
【００２２】
木材破砕作業を行う場合には、自走式木材破砕装置１をクローラ式走行装置２により所定の作業位置に移動し、ホッパ５から積込機等で被破砕木材を投入する。投入された被破砕木材は回転タブ６の回転によって木材破砕機１０に供給され、木材破砕機１０で破砕される。破砕された製品（チップ状の木材破片）は排出コンベヤ８により機外に搬出される。
【００２３】
図２は本実施形態の木材破砕機１０の概略側面図である。図２において、前記機台３に設けられたケース１１には、回転式破砕体２０がその両端部の回転軸（図示せず）を軸受（図示せず）により回転自在に支持されており、回転式破砕体２０の両端部には該回転式破砕体２０を駆動する油圧モータ１２，１３が連結されている。回転式破砕体２０は回転軸方向中央部に円筒状の回転ドラム２１を備え、該回転ドラム２１の外周面部には、複数個の破砕部取付座２２が所定位置に溶接により固着されている。詳細は後述するように、この破砕部取付座２２にはそれぞれ破砕部３０が着脱自在に取付けられている。ケース１１には、製品である破砕木材片の大きさを規定する複数個の排出穴１５を備え、かつ上部に開口部１６を有する略筒状のスクリーン板１４が取付けられており、該スクリーン板１４は回転ドラム２１の外周部を、破砕部３０の先端部との間に所定隙間を有しつつ覆っている。なお、図２には、スクリーン板１４を一部破断して示している。
【００２４】
破砕作業については従来のものと同一なので、その詳細な説明は省略する。
【００２５】
図３及び図４はそれぞれ破砕部を破砕部取付座に取付けた状態を示す側面図及び平面図であり、図５は図３のＡ矢視図である。なお、図４、図５ではビットは省略している。図３、図４、図５において、破砕部３０は、ビット４０と、該ビット４０を先端部に着脱自在に取付けるビットホルダ３１とを備えている。ビットホルダ３１は、基台としての取付座３２と、該取付座３２の略中央上部に一体成形で上方に向けて設けられた支柱３３とを有しており、支柱３３の上部には、回転ドラム２１の回転軸に所定角度で交差する（本実施形態では、直交する）面内で、かつ回転方向（図３の白矢印で示す。）に対して図３示でやや上向きの軸心を有するビット取付穴３４が設けられている。ビット４０は刃部４０ａと該刃部４０ａの他端部（刃と反対側）に設けたビット軸４１とを備えており、ビット軸４１は前記ビット取付穴３４に嵌入され、ナット４２により着脱自在に締着されている。ビットホルダ３１の支柱３３の回転方向部位３５（図示で破線ハッチング部）は硬化処理されている。この硬化処理の一例としては、超硬粒分散肉盛が用いられる。ビットホルダ３１の取付座３２は、回転ドラム２１の前記破砕部取付座２２に、前部が２本のボルト５０，５０により、後部が２本のボルト５１，５１によりそれぞれ取り付けられている。
【００２６】
また、取付座３２の回転方向（図３の白矢印で示す。）の端部には下方へ突出する係合部３７ｂが設けられており、破砕部取付座２２の回転方向の端部及び前記取付座３２の係合部３７ｂの反回転方向の端部には、両者間の取付面に略垂直な面で互いに当接する当接部２３、３６が設けられている。さらに取付座３２の、前記回転方向前側のボルト５０，５０よりも前方には、保護部３７として、該ボルト５０，５０の頭部高さと同等以上の高さを有する突起部３７ａが設けられている。また、当接部３６の下部には下方に延設された延伸部３８が設けられており、延伸部３８は破砕部取付座２２と回転ドラム２１との回転方向前側の固着部２４を覆っている。取付座３２の後側ボルト５１，５１よりも前方の締付部には、該ボルト５１，５１の頭部高さと同等以上の高さを有する段付部３９が設けられている。図５において、取付座３２の幅Ｂは、破砕部取付座２２と回転ドラム２１との回転軸方向の両固着部２５，２５間の外幅Ｃと同等以上としている。
【００２７】
本実施形態の木材破砕機は上記のような構成としたため、以下のような効果を奏する。
（１）木材破砕機１０の回転式破砕体２０の外周部（例えば上記実施形態では、回転ドラム２１の外周面）に、複数個の破砕部をそれぞれ個別に着脱自在に取付けている。上記実施形態においては、回転ドラム２１の外周面に設けた破砕部取付座２２に、ビット４０を着脱自在に取付けたビットホルダ３１をボルト５０，５１でそれぞれ個別に着脱自在に取付けている。そのため、消耗部品であるビット４０は勿論のこと、ビットホルダ３１も単独で交換でき、交換したい破砕部のみ交換することにより短時間で整備可能であり、メインテナンスコストも安くできる。また、構造が簡単で損傷要素が少ないので、信頼性、耐久性を向上できると共に、コストも安くできる。
【００２８】
（２）ビットホルダ３１を破砕部取付座２２に取り付ける回転方向前側ボルト５０の前方に、該ボルト５０の頭部高さと略同等以上の高さを有する突起部３７ａ（保護部）を設けた。そのため、破砕作業時に前記ボルト頭部が突起部３７ａによって保護されるので、被破砕木材等に当って磨耗し又は損傷する恐れは少なく、従ってビットホルダ３１の着脱作業を常に容易に行うことができ、整備性を向上できる。
（３）ビットホルダ３１を破砕部取付座２２に取り付ける回転方向後側ボルト５１の締付部に、該ボルト５１の頭部高さと略同等以上の高さを有する段付部３９を設けた。そのため、破砕作業時に前記ボルト頭部が被破砕木材等に当って磨耗し又は損傷する恐れは少ないので、ビットホルダ３１の着脱作業を常に容易に行うことができ、整備性を向上できる。
【００２９】
（４）破砕部取付座２２とビットホルダ３１との回転方向前部に、回転方向に対し互いに当接する当接部２３，３６を設けた。そのため、破砕時に破砕部３０に加わる外力は、破砕部３０を破砕部取付座２２に取り付けるボルト５０，５１を経ずに直接回転ドラム２１に加わる。従って、ボルト５０，５１の弛みや損傷の恐れが少なく、信頼性及び耐久性を向上できる。
（５）また回転ドラム２１と破砕部取付座２２との回転方向前側の固着部２４を、ビットホルダ３１の回転方向前端当接部３６の下部に設けた延伸部３８で覆った。そのため、破砕中に前記固着部２４が被破砕木材等に当って磨耗し又は損傷する恐れが少なく、よって信頼性、耐久性を向上できる。
【００３０】
（６）ビットホルダの取付座の回転ドラム軸方向の幅を、破砕部取付座の固着部の外幅と略同等以上にしている。そのため、作業中に前記固着部が被破砕木材等に当って磨耗し又は損傷する恐れは少なく、信頼性、耐久性を向上できる。
（７）また、ビットホルダ３１の回転方向前部を硬化処理している。そのため、ビットホルダ３１の耐磨耗性が向上し、信頼性、耐久性を向上できる。
【００３１】
尚、本発明に係る木材破砕機は上記実施形態に示した構成に限定するものではなく、以下のように構成してもよい。
（１）回転ドラムの破砕部取付座とビットホルダとの回転方向前側の端部を、両者の取付面に垂直な当接部で当接させているが、図６に示すように、該取付面に垂直な面Ｘ−Ｘに対して回転方向反対側に所定角度αだけ傾斜した当接部２３ａと３６ａをそれぞれ設けてもよい。この角度αは、例えば２５°である。これにより、ビット４０に破砕時に外力が加わった場合、前側のボルト５０に引っ張り力が加わることを防止でき、さらに信頼性、耐久性を向上できる。
（２）また、上記当接部は平面に限定されず、曲面等であっても構わない。
（３）ビットホルダ取付用の前部及び後部のボルトの頭部保護手段として突起部又は段付部を用いているが、ザグリ等であっても良い。
【００３２】
（４）また、本発明における回転ドラムとは、実施形態に記載した円筒状のドラムからなる回転軸のみに限定するものでなく、その他の構成からなる中空回転軸を有するものであればよく、例えば中空回転軸の外周部に複数の円板を軸方向に装着したもの、又は中空回転軸の外周部に径方向に延設した支柱を設けたもの等であっても構わない。
【産業上の利用可能性】
【００３３】
上記実施形態の木材破砕機はクローラ式の自走式木材破砕装置に搭載したものであるが、本発明に係る木材破砕装置の移動形式は車輪式でも良く、また牽引式等でも良い。また、定置式であっても構わない。
【図面の簡単な説明】
【００３４】
【図１】本発明に係る木材破砕機を搭載した自走式木材破砕装置の全体斜視図である。
【図２】本発明に係る実施形態の木材破砕機の概略側面図である。
【図３】本発明に係る破砕部取付状態を示す側面図である。
【図４】同、平面図である。
【図５】図３のＡ矢視図である。
【図６】本発明に係る他の実施形態の破砕部取付状態を示す側面図である。
【図７】従来の木材破砕機の概略側面図である。
【図８】従来の木材破砕機の概略正面一部断面図である。
【符号の説明】
【００３５】
１…自走式木材破砕装置、２…クローラ式走行装置、４…破砕装置、５…ホッパ、６…回転タブ、７…動力源、８…排出コンベヤ、１０…木材破砕機、１１…ケース、１２，１３…油圧モータ、１４…スクリーン板、１５…排出穴、２０…回転式破砕体、２１…回転ドラム、２２…破砕部取付座、２３，２３ａ，３６，３６ａ…当接部、２４，２５…固着部、３０…破砕部、３１…ビットホルダ、３２…取付座、３３…支柱、３４…ビット取付穴、３５…回転方向部位、３６ｂ…係合部、３７…保護部、３７ａ…突起部、３８…延伸部、３９…段付部、４０…ビット、４０ａ…刃部、４１…ビット軸、４２…ナット、５０，５１…ボルト。
【図１】
2005087916.tif 000003
【図２】
2005087916.tif 000004
【図３】
2005087916.tif 000005
【図４】
2005087916.tif 000006
【図５】
2005087916.tif 000007
【図６】
2005087916.tif 000008
【図７】
2005087916.tif 000009
【図８】
2005087916.tif 000010